(57)【要約】【課題】  先行始動型不足電圧トリップ装置の連動構造に関し、モータ保護用遮断器本体の開閉器具部を駆動させるハンドル動力伝達部材に不足電圧トリップ装置を連動させるためのレバー部を一体化することによってモータ保護用遮断器本体に別途に部品が加えられることを防止する。【解決手段】  モータ保護用遮断器をオンまたはオフ位置に使用者が操作するためのハンドル４２と、ハンドルと同軸に接続されて一緒に回転するギア部を有するハンドル動力伝達部材３０と、ハンドル動力伝達部材から軸方向に対して直角方向に延ばし、先行始動型不足電圧トリップ装置１００と連動するためのレバー部２０と、を含んで構成される。【選択図】      図６
2005197250.tif 000002
【特許請求の範囲】
【請求項１】
回転可能であり、モータ保護用遮断器がONまたはOFF位置に操作されるハンドルと、
前記ハンドルと同軸に接続されて一緒に回転するギア部を有するハンドル動力伝達部材と、
前記ハンドル動力伝達部材から軸方向に対して直角方向に延びて、先行始動型不足電圧トリップ装置と連動するためのレバー部と、からなることを特徴とするモータ保護遮断器用先行始動型不足電圧トリップ装置の連動装置。
【発明の詳細な説明】
【技術分野】
【０００１】
本発明は先行始動型不足電圧トリップ装置(Leading Under Voltage Trip: UVT)の連動構造に関するものであって、特に不足電圧トリップ装置の寿命を増大させ使用者の便宜性を高めた先行始動型不足電圧トリップ装置の連動装置に関するものである。
【背景技術】
【０００２】
一般的に、遮断器内には事故電流が発生した時これを検出する検出部と、上記検出部の検出信号によって駆動する開閉器具部と、上記開閉器具部の作動によって連動しつつ電路を開路させたり又は閉路させる接点部と、上記接点部の接点が開路される時発生するアークを消弧させて外部に排出する消弧部などが備えられており、外部には遮断器を投入するためのロータリー型ハンドルが設けられている。
【０００３】
また、通常遮断器のフレームには遮断器の作動状態を外部に伝達して使用者に知らせたり又は外部の入力信号を遮断器内に伝達するなどの機能を有する付属装置が結合された状態として使用される。
【０００４】
上記付属装置としては例えば、遮断器に定格電圧より低い電圧が印加される時これを外部に信号で伝達する不足電圧トリップ装置(Under Voltage Trip Device)や遮断器を遠方から操作してトリップさせるための遠方操作トリップ装置(Remote Control Trip Device)や遮断器の動作状態(オン(ON)、オフ(OFF)、トリップ(TRIP)などの状態)を使用者に視覚的又は聴覚的に知らせるための表示装置 (Alarm Device or Indicating Device)などがあり、遮断器の使用用途などによってさまざまな付属装置(Accessory Device)中いずれか一つの付属装置が選択的に結合されて使用される。
【０００５】
そして、遮断器の動作状態を外部に伝達する手段においても、遮断器内のクロスバー(crossbar)の動きを利用する方法、遮断器内のシフトレバー(shift lever)の動きを利用する方法、ハンドルの回転変位を利用する方法などさまざまな方法がある。
【０００６】
図１は従来技術による遮断器の一例を示した斜視図として、モータ保護用遮断器本体１にロータリー型ハンドル2が設けられており、上記モータ保護用遮断器本体１の一側には付属装置である不足電圧トリップ装置(UVT)１０が結合されている。なお５はハウジングである。
【０００７】
上記のような遮断器は使用者が遮断器の投入のためにハンドル２をオン(ON)位置に回転させればこのハンドル２の回転に連動してモータ保護用遮断器本体１内の開閉器具部のリンクが動きつつ接点部の稼動接点を固定接点に接触させて通電され、逆に使用者が人為的にハンドル２をオフ(OFF)位置に回転させればリンクの動きによって接点が外れて電源が遮断され、このような遮断器ではハンドル２の回転変位を付属装置に伝達するための装置が必要である。
【０００８】
上記不足電圧トリップ装置(UVT)１０は短絡事故やモータ過負荷などからモータ部を保護するための目的に使用されるモータ保護用遮断器(MMS)のさまざまな付属装置中、不足電圧が印加されればモータ保護用遮断器本体1をトリップさせる役割をする。
【０００９】
図２及び図３は従来技術の不足電圧トリップ装置１０とモータ保護用遮断器本体１の連動構造をそれぞれ異なる角度から見た斜視図である。
【００１０】
上記図２及び図３において図面符号２はハンドル、３はハンドルウイングレバー、４は回転板、６はレバー突起、７はハンマー部、１０は不足電圧トリップ装置、１９は不足電圧トリップ装置のクロスバー突起をそれぞれ示す。
【００１１】
図４は従来技術の不足電圧トリップ装置１０を駆動するためのモータ保護用遮断器本体１のハンドル２と連動される駆動構造を示した図面である。
【００１２】
上記図４に図示されたように、従来の不足電圧トリップ装置１０の連動構造はハンドル２のオフ(OFF)とトリップ(TRIP)間の区間(０〜４５゜)にのみ動作されるように別途の不足電圧トリップ装置の連動レバーであるウイングレバー３が設けられており、上記不足電圧トリップ装置１０の内部には上記モータ保護用遮断器本体のハンドルウイングレバー３によって上記不足電圧トリップ装置１０に内部電源の印加及び遮断を遂行することができる別途の器具部が設けられている。
【００１３】
図５は従来技術の不足電圧トリップ装置１０の内部構造を示した構造図で、稼動コア１２、不足電圧トリップ装置のコイル１３、稼動コアキャップ１４、クロスバー回転軸１５、固定接点１６、クロスバー１７、稼動接点１８、クロスバー突起１９を含んで構成している。
【００１４】
上記従来の不足電圧トリップ装置１０の連動構造によると、上記モータ保護用遮断器本体１を使用するためには使用者が上記ハンドル２を操作した場合にのみ先行して上記不足電圧トリップ装置１０が動作されることができるように構成されている。上記不足電圧トリップ装置１０及び上記モータ保護用遮断器本体１のより詳しい動作は米国特許US6,326,871(1998. 8. 6)に明示されている。
【００１５】
上記のような構成を有する従来の先行始動型不足電圧トリップ装置１０は、一般の不足電圧トリップ装置に比べて価格が高いために限定された使用者だけが持っている。上記不足電圧トリップ装置１０を連動させるためにはモータ保護用遮断器本体にオフ(OFF)とトリップ(TRIP)間の区間(０〜４５゜)にのみ動作される連動レバー構造が常に取り付けられなければならないために、モータ保護用遮断器本体１の製造原価の上昇を招くという問題点があった。
【発明の開示】
【発明が解決しようとする課題】
【００１６】
したがって、本発明は上記問題点を解決するためになされたものであって、本発明の目的はモータ保護用遮断器本体の開閉器具部を駆動させるハンドルの動力伝達部材に先行始動型不足電圧トリップ装置を連動させるためのレバー部を一体化することによってモータ保護用遮断器本体に部品が加えられることを防止し、先行始動型不足電圧トリップ装置を使用する使用者にのみ該当機能に対する価格を負担するようにすることによってモータ保護用遮断器の製造原価及び使用者の購入価格を低めることができるモータ保護遮断器用先行始動型不足電圧トリップ装置の連動装置を提供することにある。
【課題を解決するための手段】
【００１７】
上記本発明の目的は回転可能であり、上記モータ保護遮断器をONまたはOFF位置に使用者が操作するためのハンドルと、上記ハンドルと同軸に接続されて一緒に回転するギア部を有するハンドル動力伝達部材と、上記ハンドル動力伝達部材から軸方向に対して直角方向に延ばし、上記先行始動型不足電圧トリップ装置と連動するためのレバー部と、を含んで構成される、モータ保護遮断器用先行始動型不足電圧トリップ装置の連動装置を提供することによって達成される。
【発明の効果】
【００１８】
したがって、本発明によるモータ保護遮断器用先行始動型不足電圧トリップ装置の連動装置は、不足電圧トリップ装置の寿命を増大させ使用者が別途の不足電圧トリップ装置の駆動スィッチを設置及び管理しなければならない不便さを解消することによって使用者の便宜性を高めることができる。
【００１９】
また、本発明によるモータ保護遮断器用先行始動型不足電圧トリップ装置の連動装置は、モータ保護用遮断器本体の開閉器具部を駆動させるハンドル動力伝達部材に不足電圧トリップ装置を連動させるためのレバー部を一体化することによってモータ保護用遮断器本体に別途の部品が加えられることがなく、また不足電圧トリップ装置にのみ不足電圧トリップ機能を付与して不足電圧トリップ装置を使用する使用者にのみ該当機能に対する原価を負担するようにすることによってモータ保護用遮断器の製造原価及び購入価格を低減することができる。
【発明を実施するための最良の形態】
【００２０】
以下、本発明の望ましい実施例を添付図面に基づいてより詳細に説明するが、本発明はこれらの実施例に何ら限定されるものではない。
【００２１】
図６及び図７は本発明による先行始動型不足電圧トリップ装置１００とモータ保護用遮断器本体(図１の１)の連動装置をそれぞれ異なる角度から見た斜視図である。本発明によるモータ保護遮断器用先行始動型不足電圧トリップ装置１００の連動装置は、回転可能であり、上記モータ保護用遮断器をONまたはOFF位置に使用者が操作するためのハンドル４２と、上記ハンドル４２と同軸に接続されて一緒に回転するギア部を有するハンドル動力伝達部材３０と、上記ハンドル動力伝達部材３０から軸方向に対して直角方向に延ばし、上記先行始動型不足電圧トリップ装置１００と連動するためのレバー部２０と、を含んで構成される。
【００２２】
上記図６及び図７においては上記モータ保護用遮断器本体１が略されている。上記不足電圧トリップ装置１００は上記モータ保護用遮断器本体１の一側に結合されて設けられ、上記レバー部２０から動力を伝達させるためのレバー突起３２を備え、不足電圧トリップ装置１００に不足電圧が印加されれば連動レバー３４によって動力を伝達して上記モータ保護用遮断器本体１の開閉器具部をトリップさせる。
【００２３】
上記図６及び図７に図示されたように、上記不足電圧トリップ装置１００の上側には上記不足電圧トリップ装置１００に電源を印加する駆動スイッチ５０が設けられている。
【００２４】
図６及び図７を参照して本発明によるモータ保護遮断器用先行始動型不足電圧トリップ装置の連動装置の動作を説明する。
【００２５】
使用者が上記ハンドル４２をオフ(OFF)位置に完全に回せば上記ハンドル動力伝達部材３０が一緒に回転し、ハンドル動力伝達部材３０に一体化されたレバー部２０も一緒に回転して、図６及び図７に図示されたように上記不足電圧トリップ装置１００のレバー突起３２を押して移動させることによって図示していない不足電圧トリップ装置１００の内部メカニズム、例えば従来技術に述べられたようなコイルと、コイルに電源を接続、または遮断する接点と、この接点を移動させ上記レバー突起３２と一体に延長された稼動レバーなどの構成要素によって、上記コイルに供給される電源を遮断して不足電圧トリップ装置１００の焼損を防止しその寿命が長くなるように保護するものである。上記モータ保護用遮断器の使用中にトリップになった場合上記不足電圧トリップ装置１００は何らの変化なく相変らず駆動状態を維持する。
【００２６】
使用者が上記ハンドル４２をオン(ON)位置に回せば上記レバー部２０が上記不足電圧トリップ装置１００のレバー３２と接触する上記OFFの位置から９０度だけ回転して互いに分離され、この状態で不足電圧トリップ装置１００はモータ保護用遮断器本体１と関係なく動作する。すなわち、上記不足電圧トリップ装置１００に電源を印加する駆動スイッチ５０を使用者が押すとオンの状態を維持し、駆動スイッチ５０を使用者が再度押すとオフになる。
【００２７】
一方、不足電圧が不足電圧トリップ装置１００に印加されると、例えば従来技術に述べられたようにコイルの下部に設定電圧未満の電圧が印加される時スプリングの弾性力によって回転するレバーとこのレバーに連動して上下動する連動レバー３４の移動によってこの連動レバー３４の突出部と連動されるモータ保護用遮断器本体１の開閉器具部がトリップ位置に変位するようになる。
【００２８】
このように、本発明によるモータ保護遮断器用先行始動型不足電圧トリップ装置の連動装置は、上記モータ保護用遮断器本体１を使用していない時には上記モータ保護用遮断器本体１のハンドル４２と連動されるようにして、上記不足電圧トリップ装置１００の電源が自動的に遮断されるように構成されている。
【図面の簡単な説明】
【００２９】
【図１】従来技術によるモータ保護用遮断器の一例を示した斜視図である。
【図２】従来技術の不足電圧トリップ装置とモータ保護用遮断器本体の連動構造を示した斜視図（その１）である。
【図３】従来技術の不足電圧トリップ装置とモータ保護用遮断器本体の連動構造を示した斜視図（その２）である。
【図４】従来技術の不足電圧トリップ装置を駆動するためのモータ保護用遮断器本体のハンドルと連動される駆動構造を示した構造図である。
【図５】従来技術の不足電圧トリップ装置の内部構造を示した構造図である。
【図６】本発明による不足電圧トリップ装置とモータ保護用遮断器本体の連動構造を示した斜視図（その１）である。
【図７】本発明による不足電圧トリップ装置とモータ保護用遮断器本体の連動構造を示した斜視図（その２）である。
【符号の説明】
【００３０】
１    モータ保護用遮断器本体
２０    レバー部
３０    ハンドル動力伝達部材
３２    レバー突起
３４    連動レバー
４２    ハンドル
５０    駆動スイッチ
１００    不足電圧トリップ装置
【図１】
2005197250.tif 000003
【図２】
2005197250.tif 000004
【図３】
2005197250.tif 000005
【図４】
2005197250.tif 000006
【図５】
2005197250.tif 000007
【図６】
2005197250.tif 000008
【図７】
2005197250.tif 000009